(57)【要約】【課題】放電ランプ３の残り寿命が短いことを事前に精度よく検出することができ放電ランプ３の出力低下や動作停止を防止し安全な動作を確保する。【解決手段】直流電源１を高周波電源に変換するインバータ回路２と、高周波電源が供給されて駆動する放電ランプ３とを備える照明器具である。そして、放電ランプ３の安定点灯時の電気量を所定の時間間隔毎に検出するランプ電気量検出部４と、電気量の変化量と放電ランプ３の安定動作範囲内で予め設定された電気量の変化量を示す設定値との比較を行う制御部５とをインバータ回路２に備えるとともに、制御部５において変化量が設定値より大きい比較結果を得た場合に放電ランプ３の残り寿命が短いことを報知する報知部６を備える。【選択図】図１
2005123151.tif 000002
【特許請求の範囲】
【請求項１】
直流電源を高周波電源に変換するインバータ回路と、
前記高周波電源が供給されて駆動する放電ランプとを備える照明器具であって、
前記放電ランプの安定点灯時の電気量を所定の時間間隔毎に検出するランプ電気量検出部と、
前記電気量の変化量と前記放電ランプの安定動作範囲内で予め設定された電気量の変化量を示す設定値との比較を行う制御部とを前記インバータ回路に備えるとともに、
前記制御部において前記変化量が前記設定値より大きい比較結果を得た場合に前記放電ランプの残り寿命が短いことを報知する報知部を備えることを特徴とする照明器具。
【請求項２】
直流電源を高周波電源に変換するインバータ回路と、
前記高周波電源が供給されて駆動する放電ランプとを備える照明器具であって、
前記放電ランプの点灯時間を検出しその累積点灯時間を算出する累積点灯時間検出・算出部と、
前記累積点灯時間と予め設定された設定時間との比較を行う制御部とを前記インバータ回路に備えるとともに、
前記制御部において、前記累積点灯時間が前記設定時間より長い比較結果を得た場合に、前記放電ランプの残り寿命が短いことを報知する報知部を備えることを特徴とする照明器具。
【請求項３】
前記インバータ回路に、前記放電ランプの点滅動作を検出しその累積点滅回数を算出する累積点滅回数検出・算出部を備え、
前記制御部において、前記累積点灯時間と前記設定時間との比較、及び、前記累積点滅回数と予め設定された設定回数との比較を行い、
前記累積点灯時間が前記設定時間より長い比較結果、及び、前記累積点滅回数が前記設定回数より多い比較結果の少なくとも一方を得た場合に、
前記報知部により報知することを特徴とする請求項２記載の照明器具。
【請求項４】
前記制御部は、前記報知部により報知する場合に、前記高周波電源出力の停止又は制限を行うことを特徴とする請求項１〜３のいずれか記載の照明器具。
【請求項５】
前記インバータ回路は、
前記電気量の標準的な残り寿命までの変化特性を保持しているデータテーブルと、
前記電気量及びその変化量を蓄積するデータ蓄積部と、
前記変化特性と前記電気量又はその変化量との比較を行う比較部と、
前記比較結果を基に前記放電ランプの残り寿命予測値を算出する予測値算出部と、
前記放電ランプの点灯時間を検出しその累積点灯時間を算出する累積点灯時間検出・算出部と、
光束低下判断時間を保持している光束データテーブルと、
前記累積点灯時間と前記光束低下判断時間とを比較し光束低下か否かを判断する光束低下判断部と、
前記残り寿命予測値及び前記光束低下判断結果を入力する設定値到達判断部とを備え、
前記設定値到達判断部において前記残り寿命予測値及び前記光束低下判断結果の少なくとも一方が入力されている場合に前記報知部により報知することを特徴とする請求項１〜４のいずれか記載の照明器具。
【請求項６】
前記報知部は、前記放電ランプであって、報知する場合に当該放電ランプの点灯時に所定時間点滅して報知することを特徴とする請求項１〜５のいずれか記載の照明器具。
【請求項７】
前記報知部は、複数のＬＥＤからなるＬＥＤ常夜灯であって、報知する場合に前記ＬＥＤの点灯数を変化させて報知することを特徴とする請求項１〜６のいずれか記載の照明器具。
【請求項８】
前記報知部は、豆球常夜灯であって、報知する場合に前記放電ランプの点灯時に前記豆球常夜灯を所定時間点灯させて報知することを特徴とする請求項１〜７のいずれか記載の照明器具。
【請求項９】
前記報知部は、ブザーであって、報知する場合に前記ブザーの音を変化させて報知することを特徴とする請求項１〜８のいずれか記載の照明器具。
【請求項１０】
前記放電ランプの制御信号を無線電波で送受信するリモコン送信部及びリモコン受信部とを備え、
前記制御部は、前記報知部により報知する場合に、前記リモコン送信部にて操作されて、前記制御信号が前記リモコン受信部で受信されるごとに、前記報知部を所定時間駆動して報知することを特徴とする請求項１〜９のいずれか記載の照明器具。
【請求項１１】
前記報知部は、音声出力手段を有し、報知する場合に前記放電ランプの点灯時に前記音声出力手段により音声にて報知することを特徴とする請求項１〜１０のいずれか記載の照明器具。
【請求項１２】
前記音声出力手段として音声スピーカーを用いることを特徴とする請求項１１記載の照明器具。
【発明の詳細な説明】
【技術分野】
【０００１】
本発明は、例えば、放電ランプの残り寿命が短いことを検出する照明器具に関するものである。
【背景技術】
【０００２】
従来、この種の照明器具は、種々提案されまた市販されている。例えば、特許文献１には以下の照明装置が開示されている。図１２に示す回路構成ブロック図のように、放電灯９０に２つあるフィラメント９００，９０１のそれぞれの両端電圧（以下、フィラメント電圧という）をＶｆレベル検出回路９１０，９１１で検出し、フィラメント９００，９０１のエミッタ（電子放出物質）が消耗（以下、エミレスという）した状態であるか否かを判定する。具体的には、Ｖｆレベル検出回路９１０，９１１は、フィラメント電圧をそれぞれ整流して平滑し、図１３に示すように、得られた電圧のレベルを境界値Ｔｈと比較することによって、正常点灯時又はエミレス時のいずれかを２値として判定する。図１２に示すオア回路９３では、２個のＶｆレベル検出回路９１０，９１１の少なくとも一方においてエミレスが検出されると、エミレスが生じているという判定を下す。この判定に基づいて放電灯９０の点灯回路であるインバータ回路９２の出力を低下させたり動作を停止させたりすると、放電灯９０の温度上昇が抑えられ、インバータ回路９２のストレスを回避してフィラメント９００，９０１が断線するといった破損等の不具合を防止して安全性を確保することができる。
【０００３】
また、他の例として特許文献２には以下の照明装置が開示されている。高圧放電ランプ点灯開始後の電気的特性が安定する一定時間（一般に１０〜３０分程度）の経過を待って、高圧放電ランプのランプ電圧、電流の観測を開始する。高圧放電ランプを初めて使用するときは、観測したランプ電圧を初期ランプ電圧として不揮発メモリに記憶する。初めての使用ではない場合は、ランプ電圧が初期ランプ電圧に対して一定割合以上に高いか否かを判断する。寿命末期におけるランプ電圧は一般に電極の消耗とともに上昇するため、ランプ電圧が初期ランプ電圧から一定割合上昇した場合には、ランプ寿命がきていると判断することができるので、表示ＬＥＤ装置を点灯させてランプ交換をユーザに促す。上述のように、ランプ電圧と初期ランプ電圧とを比較し報知することで、高圧放電ランプの寿命を、自動的に検出し、容易に知ることができる。
【特許文献１】特開２００２−８３６９７号公報（第４頁−第８頁、第１図、及び、第１５図）
【特許文献２】特開平１０−３０２９７６号公報（第６頁−第１０頁、及び、第１図）
【発明の開示】
【発明が解決しようとする課題】
【０００４】
しかしながら、上記従来の照明装置などのように、放電ランプ（放電灯）の温度上昇やフィラメントの断線によるインバータ回路へのストレスを減少させ安全性を確保するために、インバータ回路の出力を低下させたり動作を停止させたりするので、放電ランプが、本来の明るさが得られない、又は、点灯しない等、本来の役割を果たせなくなるという問題があった。
【０００５】
また、放電ランプ（高圧放電ランプ）のランプ電圧と初期ランプ電圧との比較において、寿命末期に近づくまでランプ電圧と初期ランプ電圧との差が小さいので寿命を早期に検出することが困難であるという問題もあった。
【０００６】
本発明は上述の点に鑑みて為されたものであり、その目的とするところは、放電ランプの残り寿命が短いことを事前に精度よく検出することができるとともに、放電ランプの出力低下や動作停止を防止し安全な動作を確保することができる照明器具を提供することにある。
【課題を解決するための手段】
【０００７】
請求項１に記載の発明は、直流電源を高周波電源に変換するインバータ回路と、前記高周波電源が供給されて駆動する放電ランプとを備える照明器具であって、前記放電ランプの安定点灯時の電気量を所定の時間間隔毎に検出するランプ電気量検出部と、前記電気量の変化量と前記放電ランプの安定動作範囲内で予め設定された電気量の変化量を示す設定値との比較を行う制御部とを前記インバータ回路に備えるとともに、前記制御部において前記変化量が前記設定値より大きい比較結果を得た場合に前記放電ランプの残り寿命が短いことを報知する報知部を備えることを特徴とする。
【０００８】
この構造では、電気量の変化量が安定動作範囲内に設定された電気量の変化量を示す設定値より大きい場合に報知するので、放電ランプの残り寿命が短いことを事前に精度よく検出することができ放電ランプの出力低下や動作停止を防止し安全な動作を確保することができる。
【０００９】
請求項２に記載の発明は、直流電源を高周波電源に変換するインバータ回路と、前記高周波電源が供給されて駆動する放電ランプとを備える照明器具であって、前記放電ランプの点灯時間を検出しその累積点灯時間を算出する累積点灯時間検出・算出部と、前記累積点灯時間と予め設定された設定時間との比較を行う制御部とを前記インバータ回路に備えるとともに、前記制御部において、前記累積点灯時間が前記設定時間より長い比較結果を得た場合に、前記放電ランプの残り寿命が短いことを報知する報知部を備えることを特徴とする。
【００１０】
この構造では、累積点灯時間が設定時間より長い場合に報知するので、放電ランプの残り寿命が短いことを事前に精度よく検出することができ放電ランプの出力低下や動作停止を防止し安全な動作を確保することができる。また、電気量を検出する場合より回路構成を簡単にすることができる。
【００１１】
請求項３に記載の発明は、請求項２に記載の発明において、前記インバータ回路に、前記放電ランプの点滅動作を検出しその累積点滅回数を算出する累積点滅回数検出・算出部を備え、前記制御部において、前記累積点灯時間と前記設定時間との比較、及び、前記累積点滅回数と予め設定された設定回数との比較を行い、前記累積点灯時間が前記設定時間より長い比較結果、及び、前記累積点滅回数が前記設定回数より多い比較結果の少なくとも一方を得た場合に、前記報知部により報知することを特徴とする。この構造では、累積点灯時間及び累積点滅回数の少なくとも一方が設定値を超えた場合に報知するので、報知の精度を高めることができる。
【００１２】
請求項４に記載の発明は、請求項１〜３のいずれかに記載の発明において、前記制御部は、前記報知部により報知する場合に、前記高周波電源出力の停止又は制限を行うことを特徴とする。この構造では、制御部が、放電ランプの寿命末期時に高周波電源出力の停止又は制限を行うので、ランプ寿命末期時の安全な動作を確保することができる。
【００１３】
請求項５に記載の発明は、請求項１〜４のいずれかに記載の発明において、前記インバータ回路は、前記電気量の標準的な残り寿命までの変化特性を保持しているデータテーブルと、前記電気量及びその変化量を蓄積するデータ蓄積部と、前記変化特性と前記電気量又はその変化量との比較を行う比較部と、前記比較結果を基に前記放電ランプの残り寿命予測値を算出する予測値算出部と、前記放電ランプの点灯時間を検出しその累積点灯時間を算出する累積点灯時間検出・算出部と、光束低下判断時間を保持している光束データテーブルと、前記累積点灯時間と前記光束低下判断時間とを比較し光束低下か否かを判断する光束低下判断部と、前記残り寿命予測値及び前記光束低下判断結果を入力する設定値到達判断部とを備え、前記設定値到達判断部において前記残り寿命予測値及び前記光束低下判断結果の少なくとも一方が入力されている場合に前記報知部により報知することを特徴とする。この構造では、電気量の変化量を基に予測された残り寿命予測値と光束低下判断結果のどちらか早い場合において報知するので、報知の精度を高めることができユーザメリットを高くすることができる。
【００１４】
請求項６に記載の発明は、請求項１〜５のいずれかに記載の発明において、前記報知部は、前記放電ランプであって、報知する場合に当該放電ランプの点灯時に所定時間点滅して報知することを特徴とする。この構造では、放電ランプの点滅状態により報知するので、他に報知のための部品が不要であり安価に報知することができる。
【００１５】
請求項７に記載の発明は、請求項１〜６のいずれかに記載の発明において、前記報知部は、複数のＬＥＤからなるＬＥＤ常夜灯であって、報知する場合に前記ＬＥＤの点灯数を変化させて報知することを特徴とする。この構造では、放電ランプの残り寿命が短くなると累積点灯時間に応じてＬＥＤの点灯数を変えていくので、安価であるとともに放電ランプの残り寿命を連続的に把握する報知をすることができる。
【００１６】
請求項８に記載の発明は、請求項１〜７のいずれかに記載の発明において、前記報知部は、豆球常夜灯であって、報知する場合に前記放電ランプの点灯時に前記豆球常夜灯を所定時間点灯させて報知することを特徴とする。この構造では、報知に豆球常夜灯を使用するので、安価に報知することができる。
【００１７】
請求項９に記載の発明は、請求項１〜８のいずれかに記載の発明において、前記報知部は、ブザーであって、報知する場合に前記ブザーの音を変化させて報知することを特徴とする。この構造では、報知にブザーを使用するので、安価に報知することができる。
【００１８】
請求項１０に記載の発明は、請求項１〜９のいずれかに記載の発明において、前記放電ランプの制御信号を無線電波で送受信するリモコン送信部及びリモコン受信部とを備え、前記制御部は、前記報知部により報知する場合に、前記リモコン送信部にて操作されて、前記制御信号が前記リモコン受信部で受信されるごとに、前記報知部を所定時間駆動して報知することを特徴とする。この構造では、リモコン送信部による操作時ごとに報知するので、ユーザの認知度を向上し確実に報知することができる。
【００１９】
請求項１１に記載の発明は、請求項１〜１０のいずれかに記載の発明において、前記報知部は、音声出力手段を有し、報知する場合に前記放電ランプの点灯時に前記音声出力手段により音声にて報知することを特徴とする。この構造では、報知部に音声出力手段を使用し音声にて放電ランプの残り寿命が短いことを具体的に報知することができるので、照明器具購入後に長期間が経過した後であっても、確実に報知することができる。
【００２０】
請求項１２に記載の発明は、請求項１１に記載の発明において、前記音声出力手段として音声スピーカーを用いることを特徴とする。この構造では、音声スピーカーを用いて放電ランプの残り寿命が短いことを報知するので、広い場所においても確実に報知することができる。
【発明の効果】
【００２１】
本発明によれば、放電ランプの残り寿命が短いことを事前に精度よく検出することができ放電ランプの出力低下や動作停止を防止し安全な動作を確保することができる。
【発明を実施するための最良の形態】
【００２２】
（実施形態１）
先ず、実施形態１の基本的な構成について図１〜３を用いて説明する。実施形態１の照明器具は、図１に示すように、直流電源１を高周波電源に変換するインバータ回路２と、高周波電源が供給されて駆動する放電ランプ３とを備える。そして、放電ランプ３の安定点灯時の電気量を所定の時間間隔毎に検出するランプ電気量検出部４と、電気量の変化量と放電ランプ３の安定動作範囲内で予め設定された電気量の変化量を示す設定値とを比較する制御部５とをインバータ回路２に備えるとともに、制御部５において変化量が設定値より大きい比較結果を得た場合に放電ランプ３の残り寿命が短いことを報知する報知部６を備える。また、図３に示すように、放電ランプ（図３の蛍光ランプ３６）を無線電波により操作するリモコン送受信部７を設ける。上述の構成物は器具８に設置される。
【００２３】
インバータ回路２は、図１に示すように、直流電源１、ランプ電気量検出部４、制御部５を設ける。直流電源１は、例えば、交流の商用電源（図示せず）とＡＣ−ＤＣコンバータ（図示せず）との組み合わせにより、直流電圧を生成する。また、インバータ回路２は２つのスイッチング素子２０，２１を備え、スイッチング素子２０が開のときスイッチング素子２１は閉、又はその逆、のように交互にスイッチング素子２０，２１の開閉を繰り返すことで直流電源１で生成された直流電圧を矩形電圧に変換する。変換された矩形電圧は、共振回路であるコンデンサ２２，２３及びコイル２４とによって正弦波状の波形の電圧に変換され、放電ランプ３に供給される。
【００２４】
放電ランプ３は、２つのフィラメント３０，３１を備え、例えば、環状をした二重管からなる高周波専用の蛍光ランプ（ＦＨＤ）３６（図３参照）などがある。放電ランプ３は、点灯開始後は電気的特性が不安定であり、一定時間経過した後に安定に点灯する。フィラメント３０，３１は電子を授受する機能とヒータとしての機能とを有し、放電ランプ３はフィラメント３０，３１間の放電により点灯する。また、放電ランプ３の予熱手段として、例えば、インバータ回路２に巻線予熱３２が備えられる。巻線予熱３２では、１次巻線３２ａとコンデンサ３３によって予熱エネルギーが供給され、２次巻線３２ｂから放電ランプ３の各フィラメント３０，３１にコンデンサ３４，３５を介して供給される。
【００２５】
ランプ電気量検出部４は、放電ランプ３の安定点灯時において、例えば、ランプ電圧、直流電圧、ランプの直流電圧成分又はエミッタ量などの電気量を所定の時間間隔毎に検出する。ランプ電圧を検出する場合、ランプ電気量検出部４はランプ電圧検出部４０とコンデンサ２２の直流電圧検出部４１とを備える。ランプ電圧検出部４０は抵抗４００，４０１を備え、直流電圧検出部４１は抵抗４１０，４１１を備える。抵抗４０１の両端電圧からランプ電圧が、抵抗４１１の両端電圧から直流電圧が検出され制御部５に出力される。ランプ電圧及び直流電圧は、累積点灯時間が短いときは略一定であるが、累積点灯時間が長くなり放電ランプ３の残り寿命が短くなるにつれて急激に高くなる。
【００２６】
制御部５は、例えば制御用マイコンや制御回路として設けられ、例えば、ランプ電圧検出部４０からランプ電圧、直流電圧検出部４１から直流電圧などの電気量を入力する。そして、ランプ寿命によるインバータ回路２等の保護動作が始まる前、すなわち、ランプ電圧及び直流電圧がエミレス検出動作検知レベルに達する前に、このランプ電圧及び直流電圧のそれぞれれの変化量と予め安定動作範囲内に設定された電圧及び直流電圧の変化量を示す設定値とを比較する。図２（ａ）は、累積点灯時間に対するランプ電圧及び直流電圧の標準的な特性を示している。エミレス検出動作検知レベルは、フィラメント３０，３１（図１参照）のエミッタが消耗したエミレス状態の電圧値である。安全動作可能レベルはエミレス検出動作検知レベルよりも低い電圧領域であり、インバータ回路２にストレスがなく安全動作が可能な範囲であるので、放電ランプ３は正常に点灯する。ランプ寿命によるインバータ回路２等の保護動作が始まる前、すなわち、ランプ電圧及び直流電圧がエミレス検出動作検知レベルに達する前に、正常点灯時からエミレスに移行する段階におけるランプ電圧及び直流電圧のそれぞれの変化量を検出する。図２（ｂ）は、図２（ａ）の点線丸印の部分を拡大したものであり正常点灯時からエミレスに移行する初期の段階におけるランプ電圧及び直流電圧の標準的な特性を示している。制御部５は、以下、ランプ電圧について説明するが直流電圧も同様の特性を示す。例えば、時刻ｔ１、ｔ２、ｔ３、ｔ４でのランプ電圧Ｖ１、Ｖ２、Ｖ３、Ｖ４を検出し、これらから所定の時間間隔の変化量ΔＶ１，ΔＶ２，ΔＶ３（ΔＶｉ＝〔Ｖ（ｉ＋１）−Ｖ（ｉ）〕／〔ｔ（ｉ＋１）−ｔ（ｉ）〕）を算出する。制御部５は、これらの変化量と予め安定動作範囲内に設定された設定値ΔＶとを比較し、ΔＶ１，ΔＶ２，ΔＶ３のいずれかがΔＶよりも大きくなると、放電ランプ３の残り寿命が短いと判定し図１に示す報知部６を駆動させ報知する。
【００２７】
報知部６は、例えば、常夜灯として使用される発光ダイオード（以下ＬＥＤとする）常夜灯６０（図３参照）又はブザー６２（図３参照）などを備える。報知部６は、図１に示すように、制御部５の比較結果による制御で駆動し、放電ランプ３の残り寿命が短いことを、光、又は音により報知する。
【００２８】
リモコン送受信部７は、図３に示すように、リモコン送信部７０とリモコン受信部７１とで構成される。リモコン送信部７０は、離れた場所から放電ランプ（図３の蛍光ランプ３６）の点灯、消灯など制御を行うボタン（図示せず）をそれぞれ備え、それぞれのボタンに応じた制御信号を無線電波であるリモコン信号としてリモコン受信部７１に送信する。リモコン受信部７１は、リモコン送信部７０からリモコン信号を受信し、この受信信号に応じて、制御部５（図１参照）が放電ランプ（図３の蛍光ランプ３６）の制御を行う。上述のリモコン送受信部７による操作が正常に行われたとき、例えば、ブザー６２は音による報知（以下、アンサーバック動作という）を行う。
【００２９】
また、リモコン受信部７１は、リモコン送信部７０からの操作又は手動により、例えば、照明器具を特定するチャンネルを設定する場合等のリセットを行うとともに、ランプ寿命又は寿命前の放電ランプ（図３の蛍光ランプ３６）の交換するタイミングで、報知部（図３のＬＥＤ常夜灯６０、ブザー６２）の初期リセットを行うこともできる。
【００３０】
器具８は、放電ランプ（図３の蛍光ランプ３６）、報知部（図３のＬＥＤ常夜灯６０、ブザー６２）、点灯回路Ａを備える。点灯回路Ａはインバータ回路２（図１参照）を備える。例えば、円状の器具８に環状をした二重管からなる高周波専用の蛍光ランプ３６を設置する場合に、器具８は、同心円状に蛍光ランプ３６を保持し、中央部にＬＥＤ常夜灯６０、ブザー６２、リモコン受信部７１、点灯回路Ａを配置する。
【００３１】
実施形態１は、図１に示すように、放電ランプ３の安定点灯時の電気量を所定の時間間隔毎に検出するランプ電気量検出部４と、ランプ電圧及び直流電圧の変化量と放電ランプ３の安定動作範囲内で予め設定されたランプ電圧及び直流電圧の変化量を示す設定値との比較を行う制御部５とをインバータ回路２に備えるとともに、制御部５においてランプ電圧又は直流電圧の変化量が設定値より大きい比較結果を得た場合に放電ランプ３の残り寿命が短いことを報知する報知部６を備えることを特徴とする。
【００３２】
次に、実施形態１の動作について説明する。直流電源１からの直流電圧をインバータ回路２により高周波電源に変換する。この高周波電源により放電ランプ３を点灯させる。点灯中は、ランプ電圧検出部４０と直流電圧検出部４１によりランプ電圧及び直流電圧を検出して制御部５に出力する。以下、ランプ電圧について説明するが直流電圧も同様の特性を示す。
【００３３】
制御部５では、ランプ電圧の変化量を示す設定値ΔＶ（例えば、ΔＶ１＜ΔＶ＜ΔＶ２）を予め設定し、図２（ｂ）より上述のように算出したランプ電圧の変化量ΔＶ１、ΔＶ２、ΔＶ３と比較する。通常エミレスが近くなるまでランプ電圧はあまり変化せず、かなりランプ寿命末期に近づいてからランプ電圧の上昇が急激に起こるので、時刻ｔ１からｔ２の間は正常点灯時でありΔＶ１は小さいが、エミレス状態が近づくにつれてΔＶ２，ΔＶ３と順に大きくなる。ΔＶ１はΔＶよりも小さいので報知されないが、ΔＶ２はΔＶよりも大きくなるのでこの段階で図１に示す放電ランプ３の残り寿命が短いと判定し、報知部６により報知される。
【００３４】
上述のように、ランプ電圧のレベルの変化は小さいが、時間ごとの変化量を算出することによって、放電ランプ３の残り寿命が短いことを精度よく検出する。
【００３５】
以上、実施形態１によれば、ランプ寿命によるインバータ回路２等の保護動作が始まる前に、ランプ電気量検出部４で検出されたランプ電圧の変化量又は直流電圧の変化量が安定動作範囲内に設定されたランプ電圧の変化量又は直流電圧の変化量を示す設定値より大きい場合に報知するので、放電ランプ３の残り寿命が短いことを事前に精度よく検出することができ交換用放電ランプを用意することができるとともに、放電ランプ３の出力低下や動作停止を防止し安全な動作を確保することができる。
【００３６】
なお、実施形態１の変化例として、制御部５は、ランプ電圧及び直流電圧と安定動作範囲内で予め設定されたランプ寿命お知らせ動作検知レベルとを比較し、ランプ電圧又は直流電圧がランプ寿命お知らせ動作検知レベルを超えた場合に放電ランプ３の残り寿命が短いと判定し報知部６を駆動させ報知してもよい。
【００３７】
（実施形態２）
実施形態２は、図１に示している、インバータ回路２、放電ランプ３、ランプ電気量検出部４、制御部５、報知部６を備える点で実施形態１と同様であるが、実施形態１にはない以下に記載の特徴部分がある。一つは、図４に示すように、制御部５は、ランプ電圧又は直流電圧のいずれか一方の変化量が安定動作範囲内で予め設定されたランプ電圧又は直流電圧のいずれか一方の変化量の設定値より大きい比較結果を得た場合に、インバータ回路２のスイッチング素子２０，２１に高周波電源出力の停止又は制限を行うことである。
【００３８】
また、他の特徴部分として、ランプ電気量検出部４と上述の機能を有する制御部５とが一つの回路構成（図４でランプ電気量検出部４と制御部５とを囲む点線範囲）になることである。
【００３９】
実施形態２の動作について実施形態１と異なる点を説明する。制御部５は、ランプ電圧の変化量と安定動作範囲内で予め設定されたランプ電圧の変化量の設定値とを比較するとともに、直流電圧の変化量と安定動作範囲内で予め設定された直流電圧の変化量の設定値とを比較する。制御部５は、ランプ電圧の変化量が上述の設定値より大きい比較結果、及び、直流電圧の変化量が上述の設定値より大きい比較結果の少なくとも一方を得た場合に、報知部６を駆動させて放電ランプ３の残り寿命が短いことを報知するとともに、スイッチング素子２０，２１の開閉動作を制御し高周波電源の出力に対して間欠発振などの制限を行う。また放電ランプ３の寿命末期時に少なくとも一方の電圧が高くなりエミレス状態になると高周波電源の出力の停止を行う。上述の比較結果でない場合は、高周波電源の出力の制限や停止をすることなく、放電ランプ３は正常に点灯する。
【００４０】
以上、実施形態２によれば、制御部５が、放電ランプ３の寿命末期時に高周波電源出力の停止又は制限を行うので、ランプ寿命末期時の安全な動作を確保することができる。また、ランプ電気量検出部４と上述の機能を有する制御部５とを一つにするので、構成を簡略化することができる。
【００４１】
（実施形態３）
実施形態３は、図１に示している、インバータ回路２、放電ランプ３、ランプ電気量検出部４、制御部５、報知部６を備える点で実施形態１と同様であるが、実施形態１にはない以下に記載の特徴部分がある。実施形態３では、図６に示すように、インバータ回路２（図１参照）は、ランプ電圧及び直流電圧の標準的な残り寿命までの時間に対する変化特性を、例えばメモリなどに記憶され、保持しているデータテーブル５１と、ランプ電気量検出部４で検出されたランプ電圧及び直流電圧のそれぞれの変化量を蓄積するデータ蓄積部５２と、変化特性とランプ電圧及び直流電圧のそれぞれの変化量との比較を行う比較部５３と、比較部５３の比較結果を基に放電ランプ３（図１参照）の残り寿命予測値を算出する予測値算出部５４とを備える。更に、放電ランプ３（図１参照）の点灯時間を検出しその累積点灯時間を算出する累積点灯時間検出・算出部５５と、定格寿命未満で光束が低下するレベルとして設定された光束低下判断時間を、例えばメモリなどに記憶され、保持している光束データテーブル５６と、累積点灯時間と光束低下判断時間とを比較し光束低下か否かを判断する光束低下判断部５７と、比較部５３の比較結果を基に算出された残り寿命予測値及び光束低下判断結果を入力する設定値到達判断部５８とを備える。そして、設定値到達判断部５８において残り寿命予測値及び光束低下判断結果の少なくとも一方が入力されている場合に、設定値到達判断部５８は報知部６を駆動させて放電ランプ３（図１参照）の残り寿命が短いと報知する。
【００４２】
実施形態３の動作について実施形態１と異なる点を説明する。比較部５３では、図６に示すように、例えば、ランプ電気量検出部４からランプ電圧及び直流電圧が、累積点灯時間検出・算出部５５から累積点灯時間が入力され、累積点灯時間ごとにランプ電圧及び直流電圧のそれぞれの変化量がデータ蓄積部５２に出力される。比較部５３は、ランプ電圧又は直流電圧の少なくとも一方が変化し上昇しはじめると、データ蓄積部５２に蓄積されているランプ電圧又は直流電圧のそれぞれの変化量とメモリなどに記憶されランプ寿命までの変化量の標準特性を保持しているデータテーブル５１とを比較する。この比較結果により、予測値算出部５４は、上昇開始からどれくらいの時間でランプ寿命となるかを表す残り寿命予測値を変化特性より逆算という形で予測する。
【００４３】
また、光束低下判断部５７は、累積点灯時間とメモリなどに記憶され光束低下判断時間を保持している光束データテーブル５６とを比較し、点灯時間経過による光束低下か否かを判断する。
【００４４】
光束低下判断結果及び上述の予測値算出部５４による残り寿命予測値の少なくとも一方が設定値到達判断部５８に入力されると、設定値到達判断部５８は報知部６を駆動させて放電ランプ３（図１参照）の残り寿命が短いことを報知する。
【００４５】
以上、実施形態３によれば、ランプ電圧又は直流電圧のいずれか一方の変化量を基に予測された残り寿命予測値と光束低下判断結果のどちらか早い場合において放電ランプ３の残り寿命が短いことを事前に報知するので、報知の精度を高めることができユーザメリットを高くすることができる。
【００４６】
なお、実施形態３の変形例として、ランプ電気量検出部４で検出されたランプ電圧及び直流電圧をデータ蓄積部５２に蓄積し、比較部５３は、ランプ電圧又は直流電圧が変化し上昇しはじめると、データ蓄積部５２に蓄積されているランプ電圧又は直流電圧とデータテーブル５１のランプ寿命までの標準特性とを比較して残り寿命予測値を予測してもよい。
【００４７】
また、実施形態３の他の変形例として、図５に示すように、予測値算出部５４により予測された残り寿命予測値のみで放電ランプ３（図１参照）の残り寿命が短いことを判断し報知部６を駆動させて報知してもよい。
【００４８】
（実施形態４）
実施形態４は、図１に示している、インバータ回路２、放電ランプ３、ランプ電気量検出部４、制御部５を備える点で実施形態１と同様であるが、実施形態１にはない以下に記載の特徴部分がある。実施形態４では、報知部６が、放電ランプ３（図１参照）であって、制御部５においてランプ電圧又は直流電圧のいずれか一方の変化量が安定動作範囲内で予め設定されたランプ電圧又は直流電圧のいずれか一方の変化量の設定値より大きい比較結果を得た場合に、放電ランプ３の点灯時に所定時間点滅して放電ランプ３の残り寿命が短いことを報知する。
【００４９】
実施形態４の動作について実施形態１と異なる点を説明する。制御部５は、ランプ電圧の変化量と安定動作範囲内で予め設定されたランプ電圧の変化量の設定値とを比較するとともに、直流電圧の変化量と安定動作範囲内で予め設定された直流電圧の変化量の設定値とを比較する。制御部５がランプ電圧の変化量が上述の設定値より大きい比較結果、及び、直流電圧の変化量が上述の設定値より大きい比較結果の少なくとも一方を得た場合に、放電ランプ３は、制御部５による制御で駆動し、点灯時に先ず所定時間点滅しその後点灯する。上述の比較結果でない場合は、放電ランプ３は点滅することなく点灯する。
【００５０】
以上、実施形態４によれば、放電ランプ３の点滅状態により放電ランプ３の残り寿命が短いことを報知するので、他に報知のための部品が不要であり安価に報知することができる。
【００５１】
なお、実施形態４の変形例として、放電ランプ３を点灯時に１回点滅させてもよい。この動作では、短時間で報知することができる。
【００５２】
（実施形態５）
実施形態５は、図１に示している、インバータ回路２、放電ランプ３、ランプ電気量検出部４、制御部５を備える点で実施形態１と同様であるが、実施形態１にはない以下に記載の特徴部分がある。実施形態５では、図７（ａ）に示すように、報知部が、複数のＬＥＤ６０ａ〜６０ｉ（例えば９個）からなるＬＥＤ常夜灯６０であって、点灯回路Ａに備えられる制御部５（図１参照）においてランプ電圧又は直流電圧のいずれか一方の変化量が安定動作範囲内で予め設定されたランプ電圧又は直流電圧のいずれか一方の変化量の設定値より大きい比較結果を得た場合に、累積点灯時間に応じてＬＥＤ６０ａ〜６０ｉの点灯数を変化させて蛍光ランプ３６の残り寿命が短くなっていくことを報知する。
【００５３】
実施形態５の動作について実施形態１と異なる点を説明する。制御部５（図１参照）は、蛍光ランプ３６のランプ電圧の変化量と安定動作範囲内で予め設定されたランプ電圧の変化量の設定値とを比較するとともに、蛍光ランプ３６の直流電圧の変化量と安定動作範囲内で予め設定された直流電圧の変化量の設定値とを比較する。制御部５がランプ電圧の変化量が上述の設定値より大きい比較結果、及び、直流電圧の変化量が上述の設定値より大きい比較結果の少なくとも一方を得た場合に、ＬＥＤ常夜灯６０は、制御部５（図１参照）による制御で駆動し、例えば、図７（ｂ）に示すように、最初はＬＥＤ６０ａのみが点灯し、更に累積点灯時間が長くなりすなわち残り寿命が短くなるとＬＥＤ６０ａは点灯したままＬＥＤ６０ｂが点灯する。ＬＥＤ常夜灯６０は、上述のように累積点灯時間が長くなり残り寿命が短くなるにつれて点灯するＬＥＤ６０ａ〜６０ｉの数を増加させていく。上述の比較結果でない場合は、図７（ａ）に示すＬＥＤ常夜灯６０は点灯せずに蛍光ランプ３６が点灯する。
【００５４】
以上、実施形態５によれば、蛍光ランプ３６の残り寿命が短くなると累積点灯時間に応じてＬＥＤ６０ａ〜６０ｉの点灯数を変えていくので、安価であるとともに蛍光ランプ３６の残り寿命を連続的に把握する報知をすることができる。
【００５５】
なお、実施形態５の変形例として、ＬＥＤ常夜灯６０は、蛍光ランプ３６の残り寿命が短くなるにつれて点灯するＬＥＤ６０ａ〜６０ｉの数を減少させて報知してもよい。
【００５６】
また、実施形態５の他の変形例として、ＬＥＤ常夜灯６０は、１個のＬＥＤのみを備え、制御部５がランプ電圧の変化量が上述の設定値より大きい又は直流電圧の変化量が上述の設定値より大きい比較結果を得た場合に、制御部５により駆動し点灯又は消灯を行い蛍光ランプ３６の残り寿命が短いことを報知してもよい。この構造では、更に安価に報知することができる
（実施形態６）
実施形態６は、図１に示している、インバータ回路２、放電ランプ３、ランプ電気量検出部４、制御部５を備える点で実施形態１と同様であるが、実施形態１にはない以下に記載の特徴部分がある。実施形態６では、図８（ａ）に示すように、報知部が、常夜灯に使用される既存の豆球常夜灯６１であって、点灯回路Ａに備えられる制御部５（図１参照）においてランプ電圧又は直流電圧のいずれか一方の変化量が安定動作範囲内で予め設定されたランプ電圧又は直流電圧のいずれか一方の変化量の設定値より大きい比較結果を得た場合に、蛍光ランプ３６の点灯時に豆球常夜灯６１を所定時間点灯して蛍光ランプ３６の残り寿命が短いことを報知する。
【００５７】
実施形態６の動作について実施形態１と異なる点を説明する。制御部５（図１参照）は、蛍光ランプ３６のランプ電圧の変化量と安定動作範囲内で予め設定されたランプ電圧の変化量の設定値とを比較するとともに、蛍光ランプ３６の直流電圧の変化量と安定動作範囲内で予め設定された直流電圧の変化量の設定値とを比較する。制御部５がランプ電圧の変化量が上述の設定値より小さい及び直流電圧の変化量が上述の設定値より小さい比較結果を得た場合、蛍光ランプ３６は正常点灯時であるので、図８（ｂ）に示すように、豆球常夜灯６１は点灯せずに蛍光ランプ３６が点灯する。これに対して、制御部５（図１参照）がランプ電圧の変化量が上述の設定値より大きい比較結果、及び、直流電圧の変化量が上述の設定値より大きい比較結果の少なくとも一方を得た場合、蛍光ランプ３６の残り寿命が短いので、図８（ｃ）に示すように、蛍光ランプ３６の点灯時に、豆球常夜灯６１は制御部５（図１参照）による制御で駆動し一定時間点灯する。そして、豆球常夜灯６１が消灯すると同時に蛍光ランプ３６が点灯する。
【００５８】
以上、実施形態６によれば、蛍光ランプ３６の残り寿命が短いことの報知に既存の豆球常夜灯６１を使用するので、安価に報知することができる。
【００５９】
（実施形態７）
実施形態７は、図１に示している、インバータ回路２、放電ランプ３、ランプ電気量検出部４、制御部５を備える点で実施形態１と同様であるが、実施形態１にはない以下に記載の特徴部分がある。実施形態７では、図９に示すように、報知部が、ＬＥＤ常夜灯６０とアンサーバック動作を行う既存のブザー６２であって、点灯回路Ａに備えられる制御部５（図１参照）においてランプ電圧又は直流電圧のいずれか一方の変化量が安定動作範囲内で予め設定されたランプ電圧又は直流電圧のいずれか一方の変化量の設定値より大きい比較結果を得た場合に、光で報知するとともに音を変化させて蛍光ランプ３６の残り寿命が短いことを報知する。
【００６０】
実施形態７の動作について実施形態１と異なる点を説明する。制御部５（図１参照）は、蛍光ランプ３６のランプ電圧の変化量と安定動作範囲内で予め設定されたランプ電圧の変化量の設定値とを比較するとともに、蛍光ランプ３６の直流電圧の変化量と安定動作範囲内で予め設定された直流電圧の変化量の設定値とを比較する。制御部５（図１参照）がランプ電圧の変化量が上述の設定値より大きい比較結果、及び、直流電圧の変化量が上述の設定値より大きい比較結果の少なくとも一方を得た場合に、ＬＥＤ常夜灯６０とブザー６２は制御部５（図１参照）による制御で駆動し、ＬＥＤ常夜灯６０が点灯するとともに、ブザー６２は、例えば、音階の変化、メロディの出力又は音声の出力などを行う。上述の比較結果でない場合は、ＬＥＤ常夜灯６０とブザー６２は駆動せずに蛍光ランプ３６が点灯する。
【００６１】
以上、実施形態７によれば、蛍光ランプ３６の残り寿命が短いことの報知に既存のブザー６２を使用するので、安価に報知することができる。
【００６２】
（実施形態８）
実施形態８は、図１に示している、インバータ回路２、放電ランプ３、ランプ電気量検出部４、制御部５、報知部６を備える点で実施形態１と同様であるが、実施形態１にはない以下に記載の特徴部分がある。実施形態８では、図３に示すように、蛍光ランプ３６の制御信号を無線電波で送受信するリモコン送信部７０及びリモコン受信部７１からなるリモコン送受信部７を備える。点灯回路Ａに備えられる制御部５（図１参照）は、ランプ電圧又は直流電圧のいずれか一方の変化量が安定動作範囲内で予め設定されたランプ電圧又は直流電圧のいずれか一方の変化量の設定値より大きい比較結果を得た場合に、リモコン送信部７０にて操作されるごとに、ＬＥＤ常夜灯６０又はブザー６２を所定時間駆動して報知する。
【００６３】
実施形態８の動作について実施形態１と異なる点を説明する。制御部５（図１参照）は、蛍光ランプ３６のランプ電圧の変化量と安定動作範囲内で予め設定されたランプ電圧の変化量の設定値とを比較するとともに、蛍光ランプ３６の直流電圧の変化量と安定動作範囲内で予め設定された直流電圧の変化量の設定値とを比較する。制御部５（図１参照）がランプ電圧の変化量が上述の設定値より大きい比較結果、及び、直流電圧の変化量が上述の設定値より大きい比較結果の少なくとも一方を得た場合に、ＬＥＤ常夜灯６０又はブザー６２は、制御部５（図１参照）による制御で駆動し、音や光により設定時間のみ報知するだけでなく、リモコン送信部７０に備えられる蛍光ランプ３６の点灯又は消灯のボタンを押す度に、報知を行うか、又は、一定時間の報知を間欠的に行う。
【００６４】
以上、実施形態８によれば、リモコン送信部７による操作時ごとに蛍光ランプ３６の残り寿命が短いことを報知するので、ユーザの認知度が向上し確実に報知することができる。
【００６５】
なお、実施形態８の変形例として、リモコン送信部７０がＬＥＤ常夜灯６０から報知させるためのボタン（図示せず）を備え、当該ボタンを押す度に、ＬＥＤ常夜灯６０が、制御部５（図１参照）により駆動されて点灯することで報知してもよい。この構造では、リモコン送受信部７を用いて蛍光ランプ３６の残り寿命が短いか否かをいつでも確認することができる。
【００６６】
また、実施形態８の他の変形例として、リモコン送信部７０がブザー６２から報知させるためのボタン（図示せず）を備え、当該ボタンを押す度に、ブザー６２が、制御部５（図１参照）により駆動されて音を出力することで報知してもよい。この構造でも上述と同様の効果を得ることができる。
【００６７】
（実施形態９）
実施形態９は、図１に示している、インバータ回路２、放電ランプ３、ランプ電気量検出部４、制御部５を備える点で実施形態１と同様であるが、実施形態１にはない以下に記載の特徴部分がある。実施形態９では、図１０に示すように、報知部として音声スピーカー６３を備える。
【００６８】
点灯回路Ａに備えられる制御部５（図１参照）は、蛍光ランプ３６のランプ電圧の変化量と安定動作範囲内で予め設定されたランプ電圧の変化量の設定値とを比較するとともに、蛍光ランプ３６の直流電圧の変化量と安定動作範囲内で予め設定された直流電圧の変化量の設定値とを比較する。制御部５（図１参照）は、ランプ電圧の変化量が上述の設定値より大きい比較結果、及び、直流電圧の変化量が上述の設定値より大きい比較結果の少なくとも一方を得た場合に、蛍光ランプ３６の点灯時において音声スピーカー６３を駆動する。
【００６９】
音声スピーカー６３は、蛍光ランプ３６の残り寿命が短いことが容易に理解することができるように音声メッセージとして報知する。上述の比較結果が得られない場合は、制御部５（図１参照）は音声スピーカー６３を駆動しないので、蛍光ランプ３６の点灯前には上述の音声メッセージは出力されない。
【００７０】
以上、実施形態９によれば、音声スピーカー６３を使用し音声メッセージにて蛍光ランプ３６の残り寿命が短いことを具体的に報知することができるので、照明器具購入後に長期間（数年）が経過した後であっても、ユーザに確実に報知することができる。また、音声スピーカー６３を用いるので、広い場所においても確実に報知することができる。
【００７１】
なお、実施形態９の変形例として、報知部として音声スピーカー６３以外の他の音声を出力するものにしてもよい。このような構成にしても、音声メッセージにて蛍光ランプ３６の残り寿命が短くなったことを具体的に報知するので、照明器具購入後に長期間（数年）が経過した後であっても、ユーザに確実に報知することができる。
【００７２】
（実施形態１０）
実施形態１０は、図１に示している、インバータ回路２、放電ランプ３、制御部５、報知部６を備える点で実施形態１と同様であるが、実施形態１にはない以下に記載の特徴部分がある。実施形態１０では、図１１に示すように、インバータ回路２に累積点灯時間検出・算出部５５、累積点滅回数検出・算出部５９をそれぞれ制御部５と接続して備える。
【００７３】
累積点灯時間検出・算出部５５は、放電ランプ３の定常状態において点滅ごとに点灯時間を毎回検出しそれらの累計時間を累積点灯時間として算出し制御部５に出力する。累積点滅回数検出・算出部５９は、放電ランプ３が定常状態において切から入（入から切）に切り換わったことを毎回検出しその検出回数を累積点滅回数として算出し制御部５に出力する。
【００７４】
制御部５は、累積点灯時間検出・算出部５５から累積点灯時間を入力し、累積点滅回数検出・算出部５９から累積点滅回数を入力する。制御部５は、上記累積点灯時間と予め設定された設定時間との比較、及び、上記累積点滅回数と予め設定された設定回数との比較を行う。予め設定された設定時間には、例えば、他の複数の放電ランプについて定格寿命未満で光束の低下が発生する時間を測定しそれらの測定から得られた時間の平均値などを用いている。予め設定された設定回数には、例えば、他の複数の放電ランプについて定格寿命未満で光束の低下が発生するまでの累積点滅回数を測定しそれらの測定から得られた累積点滅回数の平均値などを用いている。制御部５は、累積点灯時間が設定時間より長い比較結果、及び、累積点滅回数が設定回数より多い比較結果の少なくとも一方を得た場合に、報知部６を駆動させて放電ランプ３の残り寿命が短いことを報知する。制御部５は、上記の比較結果を得ない場合、報知部６を駆動させないので報知されない。
【００７５】
以上、実施形態１０によれば、累積点灯時間及び累積点滅回数の少なくとも一方が設定値を超えた場合に報知するので、放電ランプ３の残り寿命が短いことを高い精度で事前に検出することができ放電ランプ３の出力低下や動作停止を防止し安全な動作を確保することができる。また、放電ランプ３の電気量を検出する場合より回路構成を簡単にすることができる。上記より、実施形態１０の照明器具はユーザメリットを高くすることができる。
【００７６】
なお、実施形態１０の変形例として、インバータ回路２に累積点灯時間検出・算出部５５のみを備え、制御部５が、累積点灯時間と予め設定された設定時間との比較を行い、累積点灯時間が設定時間より長い比較結果を得た場合に、報知部６を駆動して放電ランプ３の残り寿命が短いことを報知してもよい。このような構成にしても、放電ランプ３の残り寿命が短いことを精度よく事前に検出することができ放電ランプ３の出力低下や動作停止を防止し安全な動作を確保することができる。また、放電ランプ３の電気量を検出する場合より回路構成を簡単にすることができる。
【００７７】
また、実施形態１０の他の変形例として、インバータ回路２に累積点滅回数検出・算出部５９のみを備え、制御部５が、累積点滅回数と予め設定された設定回数との比較を行い、累積点滅回数が設定回数より多い比較結果を得た場合に、報知部６を駆動して放電ランプ３の残り寿命が短いことを報知してもよい。このような構成にしても、放電ランプ３の残り寿命が短いことを精度よく事前に検出することができ放電ランプ３の出力低下や動作停止を防止し安全な動作を確保することができる。また、放電ランプ３の電気量を検出する場合より回路構成を簡単にすることができる。
【００７８】
なお、実施形態４〜９のいずれかの変形例として、制御部５は、放電ランプ３（蛍光ランプ３６）のランプ電圧から算出される残り寿命予測値と光束低下判断結果の少なくとも一方を検出して、放電ランプ３（蛍光ランプ３６）が正常点灯時であるか残り寿命が短いかを判定してもよい。この動作では、更に報知の精度を高めることができる。
【００７９】
また、実施形態１〜１０のいずれかの変形例として、報知部６による報知が、一定時間に設定され、間欠動作で行われてもよい。この動作は、ユーザの認知度が向上し確実に報知することができる。
【図面の簡単な説明】
【００８０】
【図１】本発明による実施形態１の照明器具の回路構成ブロック図である。
【図２】同上の動作説明図であって、（ａ）は累積点灯時間に対するランプ電圧及び直流電圧を示す図、（ｂ）は（ａ）の点線丸印の拡大図である。
【図３】同上の構成図である。
【図４】本発明による実施形態２の照明器具の回路構成ブロック図である。
【図５】本発明による実施形態３の照明器具のブロック図である。
【図６】同上の他のブロック図である。
【図７】本発明による実施形態５の照明器具を示す図であって、（ａ）は構成図、（ｂ）はＬＥＤ常夜灯の点灯動作説明図である。
【図８】本発明による実施形態６の照明器具を示す図であって、（ａ）は構成図、（ｂ）は正常点灯時の豆球常夜灯の点灯動作説明図、（ｃ）は残り寿命が短くなったときの豆球常夜灯の点灯動作説明図である。
【図９】本発明による実施形態７の照明器具の構成図である。
【図１０】本発明による実施形態９の照明器具の構成図である。
【図１１】本発明による実施形態１０の照明器具の回路構成ブロック図である。
【図１２】従来例の回路構成ブロック図である。
【図１３】同上の動作原理を説明する図である。
【符号の説明】
【００８１】
１  直流電源
２  インバータ回路
３  放電ランプ
４  ランプ電気量検出部
５  制御部
５１  データテーブル
５２  データ蓄積部
５３  比較部
５４  予測値算出部
５５  累積点灯時間検出・算出部
５６  光束データテーブル
５７  光束低下判断部
５８  設定値到達判断部
５９  累積点滅回数検出・算出部
６  報知部
６０  ＬＥＤ常夜灯
６０ａ〜６０ｉ  ＬＥＤ
６１  豆球常夜灯
６２  ブザー
６３  音声スピーカー
７０  リモコン送信部
７１  リモコン受信部
【図１】
2005123151.tif 000003
【図２】
2005123151.tif 000004
【図３】
2005123151.tif 000005
【図４】
2005123151.tif 000006
【図５】
2005123151.tif 000007
【図６】
2005123151.tif 000008
【図７】
2005123151.tif 000009
【図８】
2005123151.tif 000010
【図９】
2005123151.tif 000011
【図１０】
2005123151.tif 000012
【図１１】
2005123151.tif 000013
【図１２】
2005123151.tif 000014
【図１３】
2005123151.tif 000015